(57)【要約】【課題】往信は宅配便を使用し、返信は郵便葉書を使用するシンプルで、セキュリティ性が高い葉書付き封書用シートを提供する。【解決手段】シートの一端部に接着部が形成され、接着部に対向する端部に葉書が形成され、シートが葉書の一部が表出するように２つに折り畳まれ、接着されて使用される葉書付き封書用シートであって、葉書の表出部には、受け取り人の宛先情報が記載され、葉書の前記宛先情報が記載された裏側には、差出人の宛先情報が記載されたことを特徴とする葉書付き封書用シートを提供する。【選択図】  図１
2006015491.tif 000002
【特許請求の範囲】
【請求項１】
シートの一端部に接着部が形成され、接着部に対向する端部に葉書が形成され、
シートが葉書の一部が表出するように２つに折り畳まれ、接着されて使用される葉書付き封書用シートであって、
葉書の表出部には、受け取り人の宛先情報が記載され、
前記宛先情報が記載された裏側には、差出人の宛先情報が記載されたことを特徴とする葉書付き封書用シート。
【請求項２】
請求項１に記載の葉書付き封書用シートにおいて、
接着部は保護紙（剥離紙）で保護された剥離可能，再貼付可能な粘着剤が形成されたことを特徴とする葉書付き封書用シート。
【請求項３】
請求項１〜２の何れか１項に記載の葉書付き封書用シートにおいて、葉書の周縁部には切取り部が形成されたことを特徴とする葉書付き封書用シート。
【発明の詳細な説明】
【技術分野】
【０００１】
本発明は、宅配便によって配達される封書形式のメール便に関する。
【背景技術】
【０００２】
近年、ダイレクトメール（ＤＭ）分野で、配送コストが安価な「メール便」が利用されている。
これまで、葉書や封書は、国が独占的に扱ってきたが、信書でないものについては民間でも扱えるようになった。
このような状況下で、例えば、ある企業が個人に対して一部にアンケートを含んだＤＭを配布しようとした場合、アンケートは信書となることが多く、郵便で送付していた。
郵便によるアンケート用紙を受け取った側では、アンケート内容が記載されたハガキ等に回答を記載し、郵送するために発送人、即ち自分の宛先情報を記入しなければならなかった。
また、回収されたアンケート葉書に記載された差出人の宛先情報等は、手書き情報であるために、アンケートを集計する企業側は、集計処理に手間がかかるといった課題があった。
【０００３】
そこで、費用並びに資源の無駄をなくするために、往信時は宅配便で配達し、返信時は郵便で配達する封筒が提案されている。
この技術は、角形封筒の一方の片側に宅配伝票、若しくは宛名シール，若しくはインクジェットによる宛名印字を行ない、もう一方の片側に郵便情報をあらかじめ印刷するというものである（例えば、特許文献１参照）。
【０００４】
前述の技術は、角形封筒を使用しており、封筒の構造が複雑な上、往信の際の通信内容の保護等、セキュリティ面に対する配慮が成されていない。
【０００５】
【特許文献１】特開２００３−３４１６８５号公報
【発明の開示】
【発明が解決しようとする課題】
【０００６】
そこで本発明は、往信は宅配便を使用し、返信は郵便葉書を使用するシンプルでセキュリティ性が高い葉書付き封書用シートを提供する。
【課題を解決するための手段】
【０００７】
前記の課題の目的を達成するために、本発明の葉書付き封書用シートの請求項１に記載の発明は、シートの一端部に接着部が形成され、接着部に対向する端部に葉書が形成され、シートが葉書の一部が表出するように２つに折り畳まれ、接着されて使用される葉書付き封書用シートであって、葉書の表出部には、受け取り人の宛先情報が記載され、葉書の前記宛先情報が記載された裏側には、差出人の宛先情報が記載されたことを特徴とするものである。
【０００８】
また、請求項２に記載の発明は、請求項１に記載の発明において、接着部は保護紙（剥離紙）で保護された剥離可能，再貼付可能な粘着剤が形成されたことを特徴とするものである。
【０００９】
また、請求項３に記載の発明は、請求項１〜２の何れか１項に記載の発明において、葉書の周縁部には切取り部が形成されたことを特徴とするものである。
【発明の効果】
【００１０】
１）請求項１に記載のように、シートの一端部に接着部が形成され、接着部に対向する端部に葉書が形成され、シートが葉書の一部が表出するように２つに折り畳まれ、接着されて使用される葉書付き封書用シートであって、葉書の表出部には、受け取り人の宛先情報が記載され、葉書の前記宛先情報が記載された裏側には、差出人の宛先情報が記載されたことにより、受け取り人は、葉書を使用して返信する際等に自分の宛先情報を記載する必要がない。
また、往信の際、葉書付き封書用シートが折り畳まれて内側になる部分（隠れる部分）に受け取り人の個人情報が記載されても、第三者に見られることがなく、安全である。
２）また、請求項２に記載のように、請求項１に記載の発明において、接着部は保護紙（剥離紙）で保護された剥離可能，再貼付可能な粘着剤が形成されたことにより、受け取り人は、容易に封書を開封することができ、開封された部分が損傷されないために、そのまま返信葉書などに使用できる。
３）また、請求項３に記載のように、請求項１〜２の何れか１項に記載の発明において、葉書の周縁部には切取り部が形成されたことにより、受け取り人は容易に葉書（返信葉書）とすることができる。
【発明を実施するための最良の形態】
【００１１】
以下、図面を参照して本発明の葉書付き封書用シートについて説明する。
図１は、本発明の一実施形態である葉書付き封書用シートの受け取り人宛先情報記載面について説明するための図，図２は、図１のＡ−Ａ線断面図，図３は、葉書付き封書用シートに受け取り人宛先情報を印字し、受け取り人宛先情報が表出するように葉書付き封書用シートを折り畳んだ状態を示す図，図４は、受け取り人がメール便を受け取り、開封し、葉書部分を切り離した状態について説明するための図，図５は、他の葉書付き封書用シートの一例について説明するための図である。
【００１２】
図１を参照して、本発明の一実施形態である葉書付き封書用シートの受け取り人宛先情報記載面について説明する。
図で示す、葉書付き封書用シート１の片面には、まず、「メール便」であることを示す表示が印刷されている。「メール便」表示の下部には、バーコード等によるメール便毎に異なる管理コード１４が印字手段（プリンタ）などによって形成されている。
葉書付き封書用シート１の一端部である右下部には葉書１２が形成され、葉書１２の周縁には切取り部１２１，１２２が形成されている。
葉書付き封書用シート１の中央部左側には折り部１３が形成されており、封書にする場合は、葉書付き封書用シート１を折り部１３で折り畳む。
折り畳まれた時に内側になって、外から見えない部分には、受け取り人の個人情報を含む印字情報が形成されている。
【００１３】
本実施の形態で示す例は、例えば、スーパー等で使用されるＤＭで、折り部１３と、接着部１１の間には特別キャンペーンに関する情報が印刷、または、印字されている。
また、折り部１３の右側領域、葉書の中央部との間にはアンケート内容が記載されている。
アンケート内容は、受け取り人別の情報になっている場合や、全員共通な情報になっている。前記受け取り人別の情報になっている場合は、葉書１２の受け取り人宛先情報と一緒に、プリンタで印字する。
【００１４】
接着部には、後述するが、粘着剤と、その上部に保護紙が形成されている。
葉書１２の左側半分の領域は、アンケート回答欄になっており、筆記具によって筆記可能な表面構造になっている。
【００１５】
図１に示す、葉書付き封書用シートの裏面は、メール便を配布する際に邪魔にならない情報、例えば、メール便会社の社名，ロゴ，キャンペーン期間の宣伝文などが印刷されている。
葉書１２の裏面に相当する領域には、差出人の宛先情報が、葉書となった時に正しく識別できるように印刷されている。
【００１６】
図２を参照して、図１のＡ−Ａ線断面について説明する。
葉書付き封書用シート１には、一端部に葉書が形成され、葉書と対向する一端部には、接着部が形成され、接着部には、粘着剤層１１２，粘着剤層の上部には粘着剤層を保護するための保護紙１１１が形成されている。
保護紙１１１には、表面強度の大きな紙が使用されるが、表面強度の小さな紙が使用される場合は、保護紙の粘着剤側に剥離剤（図示せず）が塗布される。
粘着剤１１２形成部と、葉書の中央部から略等距離の部分に、折り部１３が形成されている。
折り部１３には、印刷による表示，筋押しによる凹み，ミシンによる断続的な切込みなどが施され、折り畳み易いようになっている。
【００１７】
図３を参照して、宛先情報を印字した後受け取り人宛先情報が表出するように葉書付き封書用シートを折り畳んだ状態、について説明する。
差出人は、図１に示すように、葉書付き封書用シートに、例えば、シートプリンタを使用して受け取り人の固有情報を印字した後、プリント部を内側にして折り部１３で折り畳む。
ａ図は、折り畳まれた状態である。
接着部１１の保護紙１１１を剥し、接着部１１を圧着するとｂ図に示すように、アンケート欄が隠され、「メール便」の表示の下部に、受け取り人の宛先情報が表出する状態になる。
ｂ図の状態で配送される。
【００１８】
図４を参照して、受け取り人がメール便を受け取り、開封し、葉書部分を切り離した状態について説明する。
本発明の葉書付き封書用シートにより作成されたメール便は、ｃ図の状態で配送される。受け取り人は、宛先を確認して接着部１１を開封する。
開封の結果、ｄ図に示す状態となる。
受け取り人は、葉書付き封書用シート１から、切取り部に沿って切取り、葉書１２を分離する。
受け取り人は、葉書１２の通信欄にアンケートに対する回答を記載する。
受け取り人の宛先情報が記載された面の裏面には、図の矢印の下部に図示したように差出人の宛先情報が印刷されている。
また、返信される宛先情報の裏面には差出人情報として、受け取り人の宛先情報「日本太郎様」と印字されており、「様」を消してそのまま投函する。
その結果、受け取り人である、「日本太郎」は、アンケートに答えるだけでよく面倒な宛先情報，差出人情報を記載する必要がない。
【００１９】
図５を参照して、他の葉書付き封書用シートの一例について説明する。
図５に示す例は、クレジットカード会社等が送付する、受け取り人の住所と電話番号等が変更されていないか確認するためのメール便の例である。
ｅ図に示すように、葉書付き封書用シート１０の一端には葉書１２０形成されている。
葉書１２０には、受け取り人の宛先情報と、前述のような受け取り人の個人情報が印字されている。
折り畳み部１３０で内側に折り畳むと、個人情報２０が隠された状態の封書になる。
接着部１１０の保護紙１１１０を剥し、圧着すると、葉書付き封書用シート１０はｆ図に示すようなメール便となる。
受け取り人の宛先情報印字欄の裏側には図示しないが、図４で説明したような差出人のあて先情報が印刷されている。
また、葉書の切取りミシン、その他についても図１，図４に準拠して施されている。
【００２０】
図２で説明した粘着剤について説明する。
粘着剤１１２は、剥離可能，再貼付可能な粘着剤で、２ＥＨＡ（２エチルヘキシルアクリレート）等のガラス転移温度が低いアクリル樹脂をエマルジョン化したもの，微球タイプ（日本カーバイト社製Ｂ−７５８９），粘着剤に硬化剤を添加したタイプ，などから選択して使用される。
【００２１】
本発明は、ＤＭ分野その他などで使用される返信葉書付き封書全般に利用できる。
【図面の簡単な説明】
【００２２】
【図１】本発明の一実施形態である葉書付き封書用シートの受け取り人宛先情報記載面について説明するための図である。
【図２】図１のＡ−Ａ線断面図である。
【図３】葉書付き封書用シートに受け取り人宛先情報を印字し、受け取り人宛先情報が表出するように葉書付き封書用シートを折り畳んだ状態を示す図である。
【図４】受け取り人がメール便を受け取り開封し、葉書部分を切り離した状態について説明するための図である。
【図５】他の葉書付き封書用シートの一例について説明するための図である。
【符号の説明】
【００２３】
１，１０  葉書付き封書用シート
２，２０  個人情報印字領域
１１，１１０  接着部
１２，１２０  葉書
１３，１３０  折り部
１４    管理コード
１１１，１１１０  保護紙
１１２  粘着剤（粘着剤層）
１２１，１２２  切取り部
【図１】
2006015491.tif 000003
【図２】
2006015491.tif 000004
【図３】
2006015491.tif 000005
【図４】
2006015491.tif 000006
【図５】
2006015491.tif 000007